(57)【要約】【課題】フォーク挿入部に挿入されるフォークリフトのフォークに対する剛性の低下を抑制しつつ、デッキ面に開口している収容部の周壁の剛性を高めることができるパレットを提供する。【解決手段】パレット１０は、一対の端桁３０Ａ，３０Ｂと、デッキ面に開口する収容部２１が形成されている中間桁２０と、中間桁２０と端桁３０Ａ，３０Ｂとの間に位置する一対の連結ボード部４０Ａ，４０Ｂとを備える。中間桁２０の両側には、中間桁２０と端桁３０Ａ，３０Ｂと連結ボード部４０Ａ，４０ＢとによってＸ方向に延びる一対のフォーク挿入部が区画形成されている。連結ボード部４０Ａ，４０Ｂには、Ｙ方向に延びる複数の第１の連結リブ４１と、Ｘ方向に延びる複数の第２の連結リブ４２とが格子をなすように設けられている。中間桁２０には、収容部を区画する収容部周壁２１Ａと、収容部周壁２１Ａから放射状に延伸する複数の放射状リブ２３とが設けられている。【選択図】図４
2018052597.tif 000002
【特許請求の範囲】
【請求項１】
一対の端桁と、同両端桁の間に配置されていて且つデッキ面に開口している収容部が形成されている中間桁と、同中間桁と前記端桁との間に配置されている一対の連結ボード部と、を備え、
前記デッキ面に沿う方向のうち、前記各桁が並ぶ方向を第１の方向とし、同第１の方向と直交する方向を第２の方向とした場合、前記第１の方向において前記中間桁の両側には、同中間桁と前記端桁と前記連結ボード部とによって前記第２の方向に延びている一対のフォーク挿入部が区画形成されているパレットにおいて、
前記連結ボード部には、前記第１の方向に延びている複数の第１の連結リブと、前記第２の方向に延びている複数の第２の連結リブと、が格子をなすように設けられており、
前記中間桁には、前記収容部の周壁である収容部周壁と、前記収容部周壁に接続されていて且つ同収容部周壁から放射状に延伸している複数の放射状リブと、が設けられている
ことを特徴とするパレット。
【請求項２】
前記中間桁は、同中間桁の外郭を構成する環状の中間桁周壁を有しており、
前記各放射状リブの一端は前記収容部周壁にそれぞれ接続されており、前記各放射状リブの他端は前記中間桁周壁にそれぞれ接続されている
請求項１に記載のパレット。
【請求項３】
前記中間桁周壁は、前記連結ボード部に隣接している部分である一対の中間桁区画壁部を含んでおり、
前記連結ボード部の前記各第１の連結リブは、前記中間桁区画壁部にそれぞれ接続されており、
前記各放射状リブのうち、前記中間桁区画壁部に接続されている放射状リブは、前記中間桁区画壁部における前記第１の連結リブとの交点に接続されている
請求項２に記載のパレット。
【請求項４】
前記中間桁には、前記放射状リブと交わっているとともに、前記中間桁区画壁部に接続されている接続リブが設けられている
請求項３に記載のパレット。
【請求項５】
前記接続リブは、前記中間桁区画壁部における前記第１の連結リブとの交点に接続されている
請求項４に記載のパレット。
【請求項６】
前記各端桁は、同端桁の外郭を構成する環状の端桁周壁をそれぞれ有しており、
前記端桁周壁のうちの前記連結ボード部に隣接している部分を端桁区画壁部とした場合、同連結ボード部の前記各第１の連結リブは、前記端桁周壁の内側に設けられている端桁用リブと前記端桁区画壁部との交点にそれぞれ接続されている
請求項１〜請求項５のうち何れか一項に記載のパレット。
【発明の詳細な説明】
【技術分野】
【０００１】
本発明は、物品が載置されるデッキ面に収容部が開口しているパレットに関する。
【背景技術】
【０００２】
特許文献１には、収容部がデッキ面に開口しているパレットの一例が記載されている。このようなパレットには、一対のフォーク挿入部が同パレットの側壁に開口するように貫通形成されている。そして、パレットのうち、一対のフォーク挿入部の間に位置する中間桁に、デッキ面に開口する収容部が設けられている。こうしたパレットのデッキ面にロール体を載置させる場合、ロール体の巻き芯の端部を収容部内に収容させることにより、デッキ面上での同ロール体の位置ずれを抑制することができる。
【先行技術文献】
【特許文献】
【０００３】
【特許文献１】特開２００８−９４４３１号公報
【発明の概要】
【発明が解決しようとする課題】
【０００４】
上記のようにデッキ面に開口している収容部内に物品の一部が収容されている場合、当該物品から同収容部の周壁に荷重が入力されることがある。そのため、収容部内に収容された物品から入力される荷重によって周壁が破損しないように、同周壁の剛性の向上が希求されている。
【０００５】
本発明の目的は、フォーク挿入部に挿入されるフォークリフトのフォークに対する剛性の低下を抑制しつつ、デッキ面に開口している収容部の周壁の剛性を高めることができるパレットを提供することにある。
【課題を解決するための手段】
【０００６】
上記課題を解決するためのパレットは、一対の端桁と、同両端桁の間に配置されていて且つデッキ面に開口している収容部が形成されている中間桁と、同中間桁と前記端桁との間に配置されている一対の連結ボード部と、を備えている。また、パレットでは、前記デッキ面に沿う方向のうち、前記各桁が並ぶ方向を第１の方向とし、同第１の方向と直交する方向を第２の方向とした場合、前記第１の方向において前記中間桁の両側には、同中間桁と前記端桁と前記連結ボード部とによって前記第２の方向に延びている一対のフォーク挿入部が区画形成されている。このような前提のパレットにおいて、前記連結ボード部には、前記第１の方向に延びている複数の第１の連結リブと、前記第２の方向に延びている複数の第２の連結リブと、が格子をなすように設けられており、前記中間桁には、前記収容部の周壁である収容部周壁と、前記収容部周壁に接続されていて且つ同収容部周壁から放射状に延伸している複数の放射状リブと、が設けられている。
【０００７】
上記構成によれば、連結ボード部には、フォーク挿入部に挿入されるフォークの延伸方向とほぼ同一方向に延伸する第２の連結リブと、同第２の連結リブに直交する第１の連結リブとが格子をなすように設けられている。そのため、フォーク挿入部に挿入されるフォークに対するパレット（特に、フォークに支持される連結ボード部）の剛性の低下を抑制することができる。
【０００８】
また、収容部が形成されている中間桁には、収容部の周壁である収容部周壁から放射状に延びる複数の放射状リブが設けられている。そのため、収容部周壁に接続されているリブが、第１の方向に延びるリブであったり、第２の方向に延びるリブであったりする場合と比較し、収容部周壁の剛性を高めることができる。
【０００９】
上記パレットの一例では、前記中間桁は、同中間桁の外郭を構成する環状の中間桁周壁を有している。この場合、前記各放射状リブの一端は前記収容部周壁にそれぞれ接続されており、前記各放射状リブの他端は前記中間桁周壁にそれぞれ接続されていることが好ましい。
【００１０】
上記構成によれば、収容部内に挿入された物品から収容部周壁に荷重が入力された場合、該荷重が放射状リブに入力されることとなる。このとき、同放射状リブに入力された荷重が中間桁周壁にも伝わるようになる。そのため、放射状リブが中間桁周壁に接続されていない場合と比較し、収容部周壁の剛性をより高めることができる。
【００１１】
上記パレットの一例では、前記中間桁周壁は、前記連結ボード部に隣接している部分である一対の中間桁区画壁部を含んでいる。この場合、前記連結ボード部の前記各第１の連結リブは、前記中間桁区画壁部にそれぞれ接続されており、前記各放射状リブのうち、前記中間桁区画壁部に接続されている放射状リブは、前記中間桁区画壁部における前記第１の連結リブとの交点に接続されていることが好ましい。
【００１２】
上記構成によれば、中間桁区画壁部に接続されている放射状リブに収容部周壁から荷重が入力された場合、当該荷重が第１の連結リブにも入力されやすくなる。その結果、当該放射状リブに入力された荷重を分散させやすくなる分、収容部周壁の剛性をより高めることができる。
【００１３】
上記パレットの一例では、前記中間桁には、前記放射状リブと交わっているとともに、前記中間桁区画壁部に接続されている接続リブが設けられている。
上記構成によれば、放射状リブに接続リブが交差しているため、デッキ面に載置されている物品の重みによって放射状リブが撓んでしまうことを抑制できる。
【００１４】
上記パレットの一例では、前記接続リブは、前記中間桁区画壁部における前記第１の連結リブとの交点に接続されている。
上記構成によれば、放射状リブを通じて接続リブに入力された荷重が第１の連結リブに伝わりやすくなる。そのため、放射状リブの剛性が高くなり、ひいては収容部周壁の剛性をより高めることができる。
【００１５】
上記パレットの一例では、前記各端桁は、同端桁の外郭を構成する環状の端桁周壁をそれぞれ有している。この場合、前記端桁周壁のうちの前記連結ボード部に隣接している部分を端桁区画壁部としたとき、同連結ボード部の前記各第１の連結リブは、前記端桁周壁の内側に設けられている端桁用リブと前記端桁区画壁部との交点にそれぞれ接続されていることが好ましい。
【００１６】
上記構成によれば、第１の連結リブが、端桁を構成する端桁用リブに接続されているため、連結ボード部の剛性を高めることができる。
【発明の効果】
【００１７】
上記構成のパレットによれば、フォーク挿入部に挿入されるフォークリフトのフォークに対する剛性の低下を抑制しつつ、デッキ面に開口している収容部の周壁の剛性を高めることができる。
【図面の簡単な説明】
【００１８】
【図１】パレットの一実施形態を示す斜視図。
【図２】同パレットを裏面側から見た場合の斜視図。
【図３】同パレットの側面図。
【図４】図３における４−４線矢視断面図。
【図５】同パレットのデッキ面にロール体が載置される様子を示す斜視図。
【図６】同パレットの収容部に芯部材が挿入された状態を示す斜視図。
【図７】同パレットの収容部に芯部材が挿入された状態を示す斜視図。
【発明を実施するための形態】
【００１９】
以下、パレットの一実施形態を図１〜図７に従って説明する。
図１及び図２に示すように、本実施形態のパレット１０には、ロール体などの物品が載置される円形状のデッキ面１１が設けられているとともに、デッキ面１１に沿う方向のうちのＸ方向（第２の方向）に延伸している一対のフォーク挿入部１３が形成されている。デッキ面１１に沿う方向のうち、Ｘ方向と直交するＹ方向（第１の方向）において一対のフォーク挿入部１３の間には中間桁２０が配設されており、この中間桁２０には、デッキ面１１に直交する方向であるＺ方向に延びる収容部２１が貫通形成されている。すなわち、収容部２１は、デッキ面１１に開口している。
【００２０】
図１及び図３に示すように、Ｙ方向においてフォーク挿入部１３を挟んだ中間桁２０の反対側には、一対の端桁３０Ａ，３０Ｂが配設されている。また、中間桁２０と端桁３０Ａ，３０Ｂとの間の各々には、連結ボード部４０Ａ，４０Ｂが配設されている。すなわち、中間桁２０と端桁３０Ａとは連結ボード部４０Ａを介して連結されているとともに、中間桁２０と端桁３０Ｂとは連結ボード部４０Ｂを介して連結されている。また、図３に示すように、両フォーク挿入部１３のうち、図中右側のフォーク挿入部１３は中間桁２０、連結ボード部４０Ａ及び端桁３０Ａによって区画形成されているとともに、図中左側のフォーク挿入部１３は中間桁２０、連結ボード部４０Ｂ及び端桁３０Ｂによって区画形成されている。また、本実施形態では、中間桁２０の図中上面、両連結ボード部４０Ａ，４０Ｂの図中上面及び両端桁３０Ａ，３０Ｂの図中上面によってパレット１０のデッキ面１１が構成されている。
【００２１】
なお、図１及び図３に示すように、本明細書において、デッキ面１１における収容部２１の開口を「収容開口２１１」といい、パレット１０の側壁１２におけるフォーク挿入部１３の開口のことを「フォーク挿入用開口１３１」というものとする。
【００２２】
＜連結ボード部４０Ａ，４０Ｂ＞
図４に示すように、連結ボード部４０Ａ，４０Ｂには、Ｙ方向に延伸する複数（本実施形態では１１個）の第１の連結リブ４１と、Ｘ方向に延伸する複数（本実施形態では２個）の第２の連結リブ４２とが設けられている。各第１の連結リブ４１はＸ方向に並んで配置されており、各第２の連結リブ４２はＹ方向に並んで配置されている。そのため、連結ボード部４０Ａ，４０Ｂでは、各第１の連結リブ４１と各第２の連結リブ４２とによって格子が構成されている。なお、第２の連結リブ４２の両端は、パレット１０の側壁１２に接続されている。
【００２３】
＜中間桁２０＞
図４に示すように、中間桁２０は、中間桁２０の外郭を構成する環状の中間桁周壁２２と、中間桁周壁２２よりも内側に配置されている収容部２１の周壁である収容部周壁２１Ａとを有している。本実施形態では、この収容部周壁２１Ａは、円筒形状をなしている。中間桁周壁２２は、連結ボード部４０Ａ，４０Ｂが接続されている一対の中間桁区画壁部２２Ａを含んでいる。これら中間桁区画壁部２２ＡはそれぞれＸ方向に延伸している。そして、このような中間桁区画壁部２２Ａには、連結ボード部４０Ａ，４０Ｂの各第１の連結リブ４１が接続されている。
【００２４】
また、中間桁２０には、収容部周壁２１Ａから放射状に延伸する複数の放射状リブ２３が設けられている。これら各放射状リブ２３は、収容部周壁２１Ａの中心軸Ａを中心とする周方向において間隔を空けてそれぞれ配置されている。また、中心軸Ａを中心とする径方向における放射状リブ２３の内側の端部（一端）が収容部周壁２１Ａに接続されている一方、同径方向における放射状リブ２３の外側の端部（他端）が中間桁周壁２２に接続されている。
【００２５】
なお、各放射状リブ２３のうち、一部の放射状リブ２３は、中間桁区画壁部２２Ａに接続されている。このように中間桁区画壁部２２Ａに接続されている放射状リブ２３の端部は、中間桁区画壁部２２Ａと第１の連結リブ４１との交点Ｇ１に接続されている。
【００２６】
また、中間桁２０には、両中間桁区画壁部２２Ａのうち、一方の中間桁区画壁部２２Ａに一端部が接続されているとともに、他方の中間桁区画壁部２２Ａに他端部が接続されている複数の接続リブ２４が設けられている。各接続リブ２４の端部は、中間桁区画壁部２２Ａと第１の連結リブ４１との交点Ｇ１にそれぞれ接続されている。また、各接続リブ２４は、上記周方向に延びるように円弧状をなしている。そのため、各接続リブ２４は、複数の放射状リブ２３と交差している。
【００２７】
＜端桁３０Ａ，３０Ｂ＞
図４に示すように、端桁３０Ａ，３０Ｂは、端桁３０Ａ，３０Ｂの外郭を構成する環状の端桁周壁３１を有している。端桁周壁３１は、連結ボード部４０Ａ，４０Ｂが接続されている端桁区画壁部３１Ａを含んでいる。端桁区画壁部３１Ａは、Ｘ方向に延伸している。そして、このような端桁区画壁部３１Ａには、連結ボード部４０Ａ，４０Ｂの各第２の連結リブ４２が接続されている。
【００２８】
また、端桁３０Ａ，３０Ｂにおける端桁周壁３１の内側には、上記径方向に延伸する複数の端桁用リブ３２が設けられている。これら各端桁用リブ３２は、上記周方向に沿ってそれぞれ配置されており、各端桁用リブ３２の一端部は、端桁区画壁部３１Ａにおける第１の連結リブ４１との交点Ｇ２にそれぞれ接続されている。
【００２９】
次に、図５を参照し、本実施形態のパレット１０の作用を効果とともに説明する。図５には、パレット１０のデッキ面１１にロール体５０を載置する例が図示されている。このロール体５０は、図中上下方向であるＺ方向に延伸する巻き芯５１を有している。そして、このロール体５０をデッキ面１１に載置した際には、巻き芯５１の端部５１１がデッキ面１１に開口している収容部２１に収容される。
【００３０】
そして、例えばフォークリフトのフォークがパレット１０のフォーク挿入部１３内に挿入された状態で、ロール体５０がパレット１０とともに搬送されることとなる。この場合、フォーク挿入部１３に挿入されているフォークの上にパレット１０の連結ボード部４０Ａ，４０Ｂが配置されることとなる。本実施形態では、連結ボード部４０Ａ，４０Ｂは、フォークの挿入方向とほぼ同一の方向（Ｘ方向）に延びる第２の連結リブ４２を有しており、各第２の連結リブ４２が、第２の連結リブ４２の延伸方向と直交するＹ方向に延伸する第１の連結リブ４１によって連結されている。そのため、連結ボード部４０Ａ，４０Ｂに設けられているリブが、上記径方向に延びるリブや上記周方向に延びるリブである場合と比較し、フォーク挿入部１３内に挿入されているフォークに対する連結ボード部４０Ａ，４０Ｂの剛性を高くすることができる。
【００３１】
なお、各第１の連結リブ４１は、端桁周壁３１の端桁区画壁部３１Ａにおける端桁用リブ３２との交点Ｇ２に接続されている。そのため、第１の連結リブ４１に入力された荷重が端桁用リブ３２に入力されやすくなっている分、第１の連結リブ４１の剛性、すなわち連結ボード部４０Ａ，４０Ｂの剛性を高めることができる。
【００３２】
また、ロール体５０がデッキ面１１に載置された状態で搬送される場合、収容部２１内に収容されている巻き芯５１の端部５１１が収容部周壁２１Ａに接触し、巻き芯５１から収容部周壁２１Ａに荷重が入力されることがある。本実施形態では、収容部周壁２１Ａに接続されている複数の放射状リブ２３が設けられている。すなわち、中間桁２０には、収容部周壁２１Ａにおける放射状リブ２３との交点に巻き芯５１から入力される荷重の向きとほぼ同一の方向に延びるリブ、すなわち放射状リブ２３が設けられている。この場合、放射状リブ２３には、自身の延伸方向と平行な方向から荷重が入力されることとなる。そのため、中間桁２０に設けられるリブが、Ｘ方向に延びるリブであったり、Ｙ方向に延びるリブであったりする場合と比較し、収容部周壁２１Ａの剛性を高めることができる。
【００３３】
また、各放射状リブ２３は、中間桁周壁２２にもそれぞれ接続されている。そのため、収容部２１内に収容された巻き芯５１から収容部周壁２１Ａに荷重が入力された場合、放射状リブ２３に入力された荷重が中間桁周壁２２にも伝わるようになる。そのため、放射状リブ２３が中間桁周壁２２に接続されていない場合と比較し、収容部周壁２１Ａの剛性をより高めることができる。
【００３４】
また、中間桁周壁２２の中間桁区画壁部２２Ａに接続されている放射状リブ２３は、中間桁区画壁部２２Ａにおける第１の連結リブ４１との交点Ｇ１に接続されている。そのため、収容部２１内に収容されている巻き芯５１からの荷重が放射状リブ２３に入力された場合、当該荷重が第１の連結リブ４１に入力されやすくなる。その結果、放射状リブ２３に入力された荷重を分散させやすくなる分、収容部周壁２１Ａの剛性をより高めることができる。
【００３５】
また、中間桁２０では、複数の放射状リブ２３が接続リブ２４によって連結されており、同接続リブ２４が中間桁区画壁部２２Ａに接続されている。そのため、デッキ面１１に載置されたロール体５０の重みによって放射状リブ２３が撓んでしまうことを抑制できる。
【００３６】
なお、接続リブ２４は、中間桁区画壁部２２Ａにおける第１の連結リブ４１との交点Ｇ１に接続されている。そのため、放射状リブ２３を通じて接続リブ２４に入力された荷重が第１の連結リブ４１に伝わりやすくなる。そのため、放射状リブ２３の剛性が高くなり、ひいては収容部周壁２１Ａの剛性をより高めることができる。
【００３７】
さらに、本実施形態では、中間桁２０に設けられているリブ（放射状リブ２３や接続リブ２４）の延伸方向と、連結ボード部４０Ａ，４０Ｂに設けられているリブ（第１の連結リブ４１や第２の連結リブ４２）の延伸方向とが互いに相違している。そのため、パレット１０をデッキ面１１側から見た作業者が、フォーク挿入部１３の位置を特定しやすい。そのため、フォーク挿入部１３内にフォークリフトのフォークを挿入しやすくなる。
【００３８】
特に、円形状のパレットでは、図１に示すようにパレットをデッキ面側から見た場合、Ｘ方向からもＹ方向からもフォークをパレット内に挿入できるように見えてしまう。この点、本実施形態のパレット１０では、フォークの挿入方向であるＸ方向に延びる第２の連結リブ４２がパレット１０の全長に渡って延伸しているのに対し、当該挿入方向に直交するＹ方向に延びる第１の連結リブ４１はパレット１０の全長に渡って延伸していない。そのため、パレット１０内へのフォークの挿入方向を作業者が間違える事象が生じにくくなる。
【００３９】
次に、図６及び図７を参照し、ロール体５０のような物品をデッキ面１１に載置した状態で搬送する場合とは異なる用法でパレット１０を用いる場合の作用について説明する。
図６及び図７に示す例にあっては、パレット１０がターンテーブル６０上に設置される。そして、パレット１０の収容部２１内には、ロール紙などの長尺状の媒体を巻くための芯部材６１の端部が収容される。芯部材６１は、軸部材６２と、軸部材６２の外周に配置されている複数の固定部材６３と、軸部材６２と固定部材６３との間に配置されている付勢部材とを有している。そして、芯部材６１の端部が収容部２１内に収容された状態にあっては、図７に示すように、固定部材６３が収容部周壁２１Ａに押し付けられる。この状態で、ターンテーブル６０を図７に示す矢印方向に回転させることで、芯部材６１に長尺状の媒体を巻き付けることができる。
【００４０】
なお、上述したように収容部周壁２１Ａには固定部材６３が押し付けられる。本実施形態のパレット１０では、上述したように、中間桁２０に設けられているリブ（放射状リブ２３及び接続リブ２４）などによって収容部周壁２１Ａの剛性を高めている。そのため、収容部周壁２１Ａに固定部材６３が押し付けられたとしても、収容部周壁２１Ａが破損することを抑制できる。
【００４１】
なお、上記実施形態は以下のような別の実施形態に変更してもよい。
・端桁３０Ａ，３０Ｂに設けられる端桁用リブ３２は、第１の連結リブ４１の延伸方向であるＹ方向と同一方向に延びるものであってもよい。
【００４２】
・端桁区画壁部３１Ａに対して交点Ｇ２とは異なる位置に端桁用リブ３２が接続されるように、端桁３０Ａ，３０Ｂを構成してもよい。
・中間桁区画壁部２２Ａにおける接続リブ２４との交点が、中間桁区画壁部２２Ａにおける第１の連結リブ４１との交点Ｇ１と異なるように、接続リブ２４を配設するようにしてもよい。
【００４３】
・接続リブ２４は、一対の中間桁区画壁部２２Ａに接続されているとともに複数の放射状リブ２３と交差しているのであれば、平面視円弧状以外の他の任意の形状であってもよい。例えば、接続リブ２４は、Ｙ方向に延伸する平面視直線状をなすリブであってもよい。
【００４４】
・中間桁区画壁部２２Ａにおける放射状リブ２３との交点が、中間桁区画壁部２２Ａにおける第１の連結リブ４１との交点Ｇ１と異なるように、放射状リブ２３を配設するようにしてもよい。
【００４５】
・放射状リブは、その一端部が収容部周壁２１Ａに接続されているのであれば、その他端部が中間桁周壁２２に接続されていない構成であってもよい。
・上記実施形態では、パレット１０の中間桁２０に収容部２１がＺ軸方向に貫通形成されている。しかし、収容部は、デッキ面１１に開口しているのであれば、貫通孔でなくてもよい。例えば、収容部は凹状をなすものであってもよい。
【符号の説明】
【００４６】
１０…パレット、１１…デッキ面、１３…フォーク挿入部、２０…中間桁、２１…収容部、２１Ａ…収容部周壁、２２…中間桁周壁、２２Ａ…中間桁区画壁部、２３…放射状リブ、２４…接続リブ、３０Ａ，３０Ｂ…端桁、３１…端桁周壁、３１Ａ…端桁区画壁部、３２…端桁用リブ、４０Ａ，４０Ｂ…連結ボード部、４１…第１の連結リブ、４２…第２の連結リブ。
【図１】
2018052597.tif 000003
【図２】
2018052597.tif 000004
【図３】
2018052597.tif 000005
【図４】
2018052597.tif 000006
【図５】
2018052597.tif 000007
【図６】
2018052597.tif 000008
【図７】
2018052597.tif 000009